(57)【特許請求の範囲】
【請求項１】
回動部材と、当該回動部材を回動可能に支持する回動支持部と、当該回動支持部の周面に配設され、若しくは、前記回動部材の前記回動支持部の周面と対向する箇所に配設され、前記回動支持部と前記回動部材との間に介在して前記回動部材の回動に対して摩擦抵抗を付与する抵抗部材とを有し、前記回動部材が座フレームであると共に前記回動支持部が座の支持体に設けられた回動軸であり、前記座フレームが垂直部と当該垂直部から側方に張り出す上フランジと下フランジとのうちの少なくとも一方とを有し、前記上フランジの下面と前記下フランジの上面とのうちの少なくとも一方と前記抵抗部材とが接触することを特徴とする回動機構。
【請求項２】
前記抵抗部材がＯリングであることを特徴とする請求項１記載の椅子の回動機構。
【請求項３】
請求項１または２に記載の回動機構を備えることを特徴とする椅子。
【発明の詳細な説明】
【技術分野】
【０００１】
本発明は、椅子を構成する部材の回動機構に関する。さらに詳述すると、本発明は、例えば会議用や事務用の椅子の座部などに適用されて好適な回動機構に関する。
【背景技術】
【０００２】
従来から、椅子の座を水平な使用位置から起立する収納位置に跳ね上げることが可能である椅子が存在する。具体的には例えば、図１３及び図１４に示すように、金属パイプで四角形に形成された座フレーム１０２と当該座フレーム１０２に固定された合成樹脂製の座板１０３とを備える座１０１の座フレーム１０２の後部が前脚１０４の上端部に設けられた軸受け１０５にボルト１０６で連結されて同図(Ａ)において一点鎖線で示すように座１０１がボルト１０６を中心として跳ね上げ回動させることができる椅子において、座１０１の回動に対して抵抗を付与する合成樹脂製の制動部材１０７が嵌められた状態で座フレーム１０２後部の貫通孔１０２ａを貫通するボルト１０６が軸受け１０５にねじ込まれるようにしているものがある（特許文献１）。
【先行技術文献】
【特許文献】
【０００３】
【特許文献１】特開２００３−２３５６７０号公報
【発明の概要】
【発明が解決しようとする課題】
【０００４】
しかしながら、特許文献１に記載の技術では、座フレーム１０２と前脚１０４（軸受け１０５）とを締結するボルト１０６を締める強さ（言い換えると、ボルトの締め付けトルク）を適当に調節することによって座フレーム１０２と制動部材１０７との摩擦抵抗を発揮させて座１０１の回動の抵抗を適度に調整するものであるので、ボルト１０６の締め付けが弛むと摩擦抵抗が低減して座１０１が容易に回動するようになり、起立して垂直姿勢にある座１０１が使用者が意図していないにも拘わらず不意に倒れることも考えられ、座１０１の回動を含めた椅子の使用の快適性が損なわれてしまうという問題がある。また、起立して垂直姿勢にある座１０１が不意に倒れた場合には、前脚１０４と座１０１との間などに指を挟んでしまう危険性を伴うという問題がある。
【０００５】
そこで、本発明は、ねじの締め付けによって摩擦抵抗を発揮させる構造を用いることなく、座などの椅子を構成する部材の回動に抵抗を付与することができる、椅子を構成する部材の回動機構を提供することを目的とする。
【課題を解決するための手段】
【０００６】
かかる目的を達成するため、本発明の椅子の回動機構は、回動部材と、当該回動部材を回動可能に支持する回動支持部と、当該回動支持部の周面に配設され、若しくは、回動部材の回動支持部の周面と対向する箇所に配設され、回動支持部と回動部材との間に介在して回動部材の回動に対して摩擦抵抗を付与する抵抗部材とを有し、回動部材が座フレームであると共に回動支持部が座の支持体に設けられた回動軸であり、座フレームが垂直部と当該垂直部から側方に張り出す上フランジと下フランジとのうちの少なくとも一方とを有し、上フランジの下面と下フランジの上面とのうちの少なくとも一方と抵抗部材とが接触するようにしている。
【０００７】
したがって、この椅子の回動機構によると、回動支持部の周面若しくは回動部材のうちの回動支持部の周面と対向する箇所に配設される抵抗部材によって回動部材の回動に対して摩擦抵抗が付与されるようにしており、ねじの締め付けによって摩擦抵抗を発揮させる構造を用いることなく椅子の座などの回動に抵抗が付与される。しかも、この場合には、椅子を構成する部材の回動に対して摩擦抵抗を付与するための仕組みが比較的簡便に構成される。
【０００８】
また、本発明の椅子の回動機構は、抵抗部材がＯリングであるようにしても良い。この場合には、Ｏリングの設置個数が調節されることによって摩擦抵抗の大きさが調整され得るので、椅子を構成する部材の回動に対して摩擦抵抗を付与するための仕組みであって当該摩擦抵抗が容易に調整可能である仕組みが比較的簡便に構成される。
【００１０】
また、本発明の椅子は、上述の回動機構を備えるようにしている。この場合には、上述の回動機構の作用が奏される椅子が実現される。
【発明の効果】
【００１１】
本発明の椅子の回動機構やこの回動機構を備える椅子によれば、ねじの締め付けによって摩擦抵抗を発揮させる構造を用いることなく椅子の座などの回動に抵抗を付与することができるので、ねじの締め付けの弛みによって摩擦抵抗が低減し座が容易に回動するようになって垂直姿勢にある座が使用者が意図していないにも拘わらず不意に倒れてしまうことを防ぐことができ、座の回動を含めた椅子の使用の快適性の向上を図ることが可能になる。
【００１２】
本発明の椅子の回動機構やこの回動機構を備える椅子は、抵抗部材がＯリングであるようにした場合には、椅子を構成する部材の回動に対して摩擦抵抗を付与するための仕組みであって当該摩擦抵抗が容易に調整可能である仕組みを比較的簡便に構成することができるので、椅子の回動機構としての汎用性の向上を図ることが可能になる。
【００１３】
本発明の椅子の回動機構やこの回動機構を備える椅子は、回動部材としての座フレームの上フランジ下面と下フランジ上面とのうちの少なくとも一方と抵抗部材とが接触するようにした場合には、椅子を構成する部材の回動に対して摩擦抵抗を付与するための仕組みを比較的簡便に構成することができるので、椅子の回動機構としての汎用性の向上を図ることが可能になる。
【図面の簡単な説明】
【００１４】
【図１】実施形態の椅子の全体構成を示す正面及び側面を表す図である。
【図２】実施形態の椅子の全体構成を示す側面図である。
【図３】本発明の椅子の回動機構に関連する構成の一例を示す斜視図である。
【図４】図３からクッションを取り除いた状態（言い換えると、図３のクッションを透明にした場合）の図である。
【図５】図４からシェルを取り除いた状態（言い換えると、図４のシェルを透明にした場合）の図である。
【図６】図５から座フレーム及び弾性部材を取り除いた状態（言い換えると、図５の座フレーム及び弾性部材を透明にした場合）の図である。
【図７】図６から座裏カバーを取り除いた状態（言い換えると、図６の座裏カバーを透明にした場合）の図である。
【図８】実施形態における座フレームの図である。（Ａ）は側面図である。（Ｂ）は側面及び平面を表す図である。
【図９】実施形態の椅子の回動機構の一部拡大縦断面図である。
【図１０】実施形態の椅子の回動機構の一部拡大斜視図である。（Ａ）は全ての部材を不透過の状態で表示した図である。（Ｂ）は(Ａ)の座フレームを透過の状態で表示した図である。
【図１１】椅子の回動機構に纏わる構成の他の例の縦断面図である。
【図１２】椅子の回動機構に纏わる構成の更に他の例の縦断面図である。
【図１３】従来の椅子の座の跳ね上げ機構を備える椅子を示す図である。（Ａ）は側面図である。（Ｂ）は座を跳ね上げた状態の正面図である。
【図１４】従来の椅子の座の跳ね上げ機構を示す一部拡大図である。（Ａ）は分離断面図である。（Ｂ）は組み付けた状態の断面図である。
【発明を実施するための形態】
【００１５】
以下、本発明の構成を図面に示す実施の形態の一例に基づいて詳細に説明する。
【００１６】
図１から図１２に、本発明の椅子の回動機構の実施形態の一例を示す。なお、本明細書においては、椅子の座に座った着座者を基準にして、また、特に座については座が水平姿勢にあるときを基準にして、上下，前後，左右を定義する。また、座が水平姿勢であるとは座面が正確に水平である状態に加えて大凡水平である状態を含み、座が垂直姿勢であるとは座面が正確に垂直である状態に加えて大凡垂直である状態を含む。
【００１７】
本実施形態では、本発明の椅子の回動機構が、図１及び図２に全体構成を示す椅子１に適用された場合を例に挙げて説明する。
【００１８】
本実施形態の椅子１は、支持体２、並びに、当該支持体２に支持される座１０及び背凭れ７を有する。
【００１９】
支持体２は、左右対向して配設される一対の前脚フレーム３，３と、当該左右一対の前脚フレーム３，３各々の上端部と連続して左右対向して配設される一対の側脚フレーム４，４と、当該左右一対の側脚フレーム４，４各々の後端部と接合して左右対向して配設される一対の後脚フレーム５，５と、左右一対の側脚フレーム４，４の間に左右方向に架設される横架設フレーム６とを備える。
【００２０】
前脚フレーム３と側脚フレーム４とは、一本の金属パイプ材、具体的には例えばスティールやステンレススティール或いはアルミ合金などのパイプ材が概ねく字形に折り曲げられることによって連続的に形成されて一体に構成される。そして、前脚フレーム３が前側で側脚フレーム４が後ろ側になるように配置され、且つ、前脚フレーム３が前方下向きに傾斜すると共に側脚フレーム４が水平になるように配設される。
【００２１】
左右一対の側脚フレーム４，４各々の前後方向における中間位置に、向かい側の（言い換えると、一方からみて他方側の）側脚フレーム４に向けて、即ち椅子１の内側に向けて左右方向に突出する回動軸４ａが設けられる。
【００２２】
左右一対の側脚フレーム４，４各々の回動軸４ａ，４ａは、左右方向において相互に対向するように設けられる。すなわち、回動軸４ａの軸心方向は左右方向であって左右一対の回動軸４ａ，４ａそれぞれの軸心は同軸の関係になる。なお、回動軸４ａは、側脚フレーム４の周面に溶接付けなどによって接合される。
【００２３】
後脚フレーム５は、例えば上述の前脚フレーム３及び側脚フレーム４と同様の材質の一本の金属パイプ材によって構成され、前後方向において後方下向きに傾斜するように配設される。
【００２４】
側脚フレーム４の後端と後脚フレーム５とは、後脚フレーム５の上下方向における中間よりも上側の位置において溶接付けなどによって接合される。
【００２５】
なお、本実施形態では、前脚フレーム３の下端部にはキャスタ９Ａが取り付けられると共に、後脚フレーム５の下端部にはキャスタ９Ｂが取り付けられる。ただし、脚フレームにキャスタが取り付けられることは本発明において必須の構成ではない。
【００２６】
ここで、本実施形態では、連続するものとして一体に形成された前脚フレーム３と側脚フレーム４とは、左右の側脚フレーム４，４の後端部同士の左右方向における間隔（言い換えると、左右の後脚フレーム５，５同士の左右方向における間隔）よりも左右の前脚フレーム３，３同士の左右方向における間隔が狭くなるように配設される。具体的には、複数の椅子１が水平方向で前後に並べられたときに、後ろ側の椅子１の左右の前脚フレーム３，３が前側の椅子１の左右の後脚フレーム５，５の間から左右の側脚フレーム４，４の間に入り込み、複数の椅子１が水平・前後方向にスタッキング可能であるように調整される。
【００２７】
横架設フレーム６は、例えば上述の各フレーム３，４，５と同様の材質の一本の金属パイプ材が、左右両側の傾斜部６ａ，６ａとこれらに挟まれる中間部分の水平部６ｂとが連続するように折り曲げられて形成される。
【００２８】
横架設フレーム６は、左右一対の側脚フレーム４，４の間に、平面視において左右方向になるように、且つ、中間部分の水平部６ｂ部分が下方に凹むように、そして、座１０の下面の凹凸（即ち、曲面形状）に沿うように配設される。
【００２９】
横架設フレーム６の左右両端は、左右一対の側脚フレーム４，４各々の前端部寄りの位置（即ち、前脚フレーム３寄りの位置）においてこれら左右一対の側脚フレーム４，４同士を連結するように溶接付けなどによって接合される。なお、横架設フレーム６は、側脚フレーム４に設けられた回動軸４ａよりも前方位置に配設される。
【００３０】
背凭れ７は、樹脂製の板材によって構成され、平面視において左右方向における中間部分が後方に撓んで湾曲すると共に側面視において上下方向における中央よりもやや下方の部分が前向きに凸となるように湾曲する形状に形成される。
【００３１】
背凭れ７は、左右両側の下端部分に、下端に開口部を有する筒状に形成された一対の取付部７ａ，７ａを有する。そして、背凭れ７は、左右一対の取付部７ａ，７ａのそれぞれが左右一対の後脚フレーム５，５の上端部分に嵌められることによって支持体２に装着される。なお、背凭れ７の取付部７ａと後脚フレーム５の上端部分とは、後脚フレーム５の上端部分が取付部７ａに下端開口部から挿入されて嵌め込まれた状態で、予め塗布された接着剤やねじ止めなどによって相互に固定される。
【００３２】
座１０は、座フレーム１１と、当該座フレーム１１の上面に取り付けられるシェル１３（インナーシェルやインナー部材とも呼ばれる）と、当該シェル１３の下方に配設される弾性部材１２と、シェル１３の上面を覆うクッション１４と、座フレーム１１の下面に取り付けられる座裏カバー１５とを有する。
【００３３】
座フレーム１１は、一本の金属材、具体的には例えばスティールやステンレススティール或いはアルミ合金などの棒材・板材や種々の形材が、前フレーム１１Ａと左右の側フレーム１１Ｂ，１１Ｂと後フレーム１１Ｃとを有する概ね矩形に折り曲げられて形成される。
【００３４】
座フレーム１１の左右の側フレーム１１Ｂ，１１Ｂ各々の、前後方向における中間よりも後方の位置に、左右方向において相互に対向するように、左右方向に貫通する貫通孔１１ｄ，１１ｄが設けられる。
【００３５】
そして、これら左右一対の貫通孔１１ｄ，１１ｄそれぞれに、左右一対の側脚フレーム４，４各々に設けられた回動軸４ａ，４ａが挿し込まれる。
【００３６】
これにより、座フレーム１１を含む座１０が、支持体２に対して水平姿勢（図１乃至図３）と背凭れ７に沿うように跳ね上げられて起立した姿勢（言い換えると、垂直姿勢）との間で回動するように装着される。すなわち、回動軸４ａを回動支持部とすると共に座フレーム１１を回動部材として支持体２に対して座フレーム１１が回動する。
【００３７】
なお、座１０は、着座者の着座の用に供される際には水平姿勢になり、複数の椅子１が水平・前後方向にスタッキングされる際には垂直姿勢になる。
【００３８】
シェル１３は、樹脂素材により、少なくとも中央部分が撓み変形し得るような厚み寸法に形成され、座フレーム１１の上面に例えばねじ止めなどによって固定されて取り付けられる。なお、シェル１３は、全体としては概ね板状をなすように形成されるものの、湾曲していたり、部分によって厚みが異なっていたり、部分的な凹凸があったりしても構わない。また、シェル１３の平面視における形状は、特定のものには限定されない。
【００３９】
本実施形態では、シェル１３に、撓み変形を助長させる構造が設けられる。
【００４０】
シェル１３の撓み変形を助長させる構造は、特定の態様に限定されるものではなく、具体的には例えば、本実施形態のようにシェル１３を上下方向に貫通して形成される線状のスリット１３ａや、シェル１３を上下方向に貫通して形成される正円・楕円や正方形・長方形などの貫通孔、或いは、シェル１３の上面側と下面側とのうちの少なくとも一方に形成される線状の凹部としての溝や、シェル１３の上面側と下面側とのうちの少なくとも一方に形成される正円・楕円や正方形・長方形などの凹部が挙げられる。
【００４１】
また、シェル１３の撓み変形を助長させる構造として線状のスリット１３ａや線状の凹部としての溝が設けられる場合には、当該スリット１３ａや溝の方向は前後方向，左右方向，或いは前後左右方向に対して傾斜する方向のうちのいずれでも良い。また、シェル１３の撓み変形を助長させる構造として貫通孔や凹部が設けられる場合には、当該貫通孔や凹部の形成パターン・配置パターンは種々のものが適宜選択され得る。
【００４２】
なお、シェル１３の撓み変形を助長させる構造は、シェル１３に対し、一つ設けられるようにしても良いし、複数設けられるようにしても良い。
【００４３】
弾性部材１２は、シェル１３の撓み変形に対して上下方向の弾性力を発揮するものである。
【００４４】
本実施形態では、座フレーム１１の上面にシェル１３が取り付けられることによってこれら座フレーム１１とシェル１３とが平行に配設されており、座フレーム１１に弾性部材１２の両端部（具体的には、前端部と後端部）が支持されることにより、シェル１３の下方においてシェル１３の下面に沿って弾性部材１２が配設される。
【００４５】
すなわち、弾性部材１２は、シェル１３全体としての方向において両端部が支持されて、シェル１３全体としての方向に沿って張り架けられて設けられる。
【００４６】
弾性部材は、シェル１３全体としての方向に沿って配設された状態で上下方向の弾性力を発揮し得るものであれば、特定のものには限定されない。
【００４７】
本実施形態では、弾性部材１２として具体的にはＳ字形ばね（Ｓスプリングなどとも呼ばれる）が用いられる。本実施形態の弾性部材１２としてのＳ字形ばねは、長手方向を前後方向とする二つのＳ字形ばねが左右に並べられて配置され、各々の前端部が座フレーム１１の前フレーム１１Ａに取り付けられると共に後端部が座フレーム１１の後フレーム１１Ｃに取り付けられる。
【００４８】
弾性部材１２の個数は、二つに限られるものではなく、一つでも良いし、或いは、三つ以上でも良い。
【００４９】
また、弾性部材１２の配置の向きは、長手方向を前後方向とする向きに限られるものではなく、長手方向を左右方向とする向きであっても良い。さらに、複数の弾性部材１２が配置される場合に、複数の弾性部材１２が相互に平行に配置される態様に限られるものではなく、長手方向において相互の間隔が変わるように、即ち相互に平行ではないように配置されるようにしても良い。
【００５０】
以上のように、異なる種類の弾力部材、即ちシェル１３と弾性部材１２との二重構造によって座１０が構成されることにより、着座したときの座としての高級感のある座り心地が実現され、具体的には弾性部材１２の変形による反力によって支えられながらシェル１３が変形することによって底付き感の発生が防止され、十分な大きさの撓み変形量が実現・確保されて着座したときの快適性の向上が図られる。
【００５１】
シェル１３と弾性部材１２との二重構造によって座１０が構成されることにより、また、シェルのみで座が構成される場合と比べて強度の向上が実現されると共にへたりの発生が防止され、十分な強度が確保されて耐久性の向上が図られ、延いては快適な座り心地が維持される。
【００５２】
クッション１４は、座１０に着座した際に座面としての弾力性を発揮させて快適性を向上させるためのものであり、シェル１３の上面に配設される。
【００５３】
クッション１４は、具体的には例えば、ウレタンなどの弾力性を有する素材によって形成された芯材と、当該芯材の少なくとも上面及び側面を覆う外張地とによって構成される。
【００５４】
クッション１４は、シェル１３の上面に載置された状態で固定される。クッション１４のシェル１３への取付・固定の仕方は特定の方法に限定されるものではなく、具体的には例えば、シェル１３の上面に芯材が載置された状態で当該芯材及びシェル１３の側縁部を包み且つシェル１３の下面側に周縁部が回り込むように外張地が配設されて前記周縁部が紐締めされることによってシェル１３に取り付けられるようにしても良いし、固定用の部品が適宜用いられてねじ止めなどによって取り付けられるようにしても良い。
【００５５】
座裏カバー１５は、樹脂素材により、シェル１３との間に座フレーム１１を収容し得るように下方に撓む凹部と当該凹部を囲むように周端から上方にせり上がる周縁部とを有する形状に形成される。
【００５６】
座裏カバー１５は、座フレーム１１の下面に、例えばねじ止めなどによって固定されて取り付けられる。
【００５７】
座裏カバー１５の下面の概ね中央位置に、左右方向を長手方向とする凸状のフレーム当接部１５ａが設けられる。そして、当該フレーム当接部１５ａの下端側に、縦断面半円形の凹部（言い換えると、蒲鉾形の凹部）が長手方向に沿って形成される。
【００５８】
そして、フレーム当接部１５ａ下端の凹部が横架設フレーム６の水平部６ｂに当接した状態において、座１０が（具体的にはクッション１４が）着座に適当な水平姿勢になる。
【００５９】
そして、本実施形態における、本発明に係る椅子の回動機構は、回動部材である座フレーム１１と、当該座フレーム１１を回動可能に支持する回動支持部である回動軸４ａと、当該回動軸４ａの周面に配設され当該回動軸４ａと座フレーム１１との間に介在して座フレーム１１の回動に対して摩擦抵抗を付与する抵抗部材１８とを有するようにしている。
【００６０】
本実施形態では、回動支持部である側脚フレーム４に設けられた回動軸４ａの周面に形成された環状の溝に、抵抗部材１８としてＯリングが取り付けられる。
【００６１】
また、回動部材である座フレーム１１は、垂直部１１ｅと、当該垂直部１１ｅの上端から外側に張り出す上フランジ１１ｆと、垂直部１１ｅの下端から外側に張り出す下フランジ１１ｇとを有する。
【００６２】
そして、座フレーム１１の左右の側フレーム１１Ｂの上フランジ１１ｆの下面が、Ｏリング１８に、当該Ｏリング１８が多少変形する程度に押し付けられる。言い換えると、上フランジ１１ｆの下面がＯリング１８にそのように押し付けられるように、座フレーム１１並びに回動軸４ａ及びＯリング１８の各部の寸法が相互に調整される。
【００６３】
これにより、座フレーム１１が回動する際に、当該座フレーム１１の回動を制動するように摩擦抵抗が与えられる。
【００６４】
なお、一つの回動軸４ａに、本実施形態では抵抗部材としてのＯリング１８が一つ設けられるようにしているが、一つの回動支持部に抵抗部材１８が二つ以上設けられるようにしても良い。抵抗部材１８の設置個数が調節されることによって摩擦抵抗の大きさが調整され、座フレーム１１を回動させる際に必要とされる力が適当になるように加減され得る。特に、本実施形態のように抵抗部材としてＯリング１８が用いられる場合には、Ｏリング１８の設置個数の調節は容易・簡便であるので、座フレーム１１の回動に対する摩擦抵抗の調整が容易である仕組みが簡便に構成される。
【００６５】
また、本実施形態では左右一対の回動軸４ａ，４ａの両方に抵抗部材としてのＯリング１８が設けられるようにしているが、どちらか一方の回動軸４ａのみに抵抗部材が設けられるようにしても良い。
【００６６】
また、本実施形態では座フレーム１１の上フランジ１１ｆが抵抗部材１８に押し当てられるようにしているが、下フランジ１１ｇの上面が抵抗部材１８に押し当てられるようにしても良いし、上フランジ１１ｆの下面と下フランジ１１ｇの上面との両方が抵抗部材１８に押し当てられるようにしても良い。なお、上フランジ１１ｆのみが抵抗部材１８に押し当てられる場合には座フレーム１１が下フランジ１１ｇを有することは本発明としては必須の構成ではなく、また、下フランジ１１ｇのみが抵抗部材１８に押し当てられる場合には座フレーム１１が上フランジ１１ｆを有することは本発明としては必須の構成ではない。
【００６７】
本発明における抵抗部材１８は、回動軸４ａの周面に取り付けられるＯリングに限られるものではなく、樹脂製の環状の帯部材でも良いし、回動軸４ａの周面の全周に亙るリングや環状ではなく回動軸４ａの周方向の一部のみに設けられる態様でも良い。
【００６８】
抵抗部材１８は、また、座フレーム１１側に設けられるようにしても良い。具体的には例えば、図１１に示すように、座フレーム１１の上フランジ１１ｆの下面に形成された凹部に樹脂製の板状部材などが取り付けられるようにしても良い。
【００６９】
すなわち、本発明における抵抗部材１８は、例えば図１１に示すように、座フレーム１１側の、側脚フレーム４に設けられた回動軸４ａの周面と対向する箇所に取り付けられ設けられるようにしても良い。言い換えると、本発明における抵抗部材１８は、回動部材(１１)の、回動支持部(４ａ)の周面と対向する箇所に設けられるようにしても良い。
【００７０】
また、抵抗部材１８が接触する箇所は、座フレーム１１の上フランジ１１ｆの下面や回動軸４ａの周面、言い換えると、回動部材(１１)と回動支持部(４ａ)とが対向する箇所には限られない。具体的には例えば、図１２に示すように、樹脂製の環状帯状に形成された抵抗部材１８が回動軸４ａの周面に取り付けられ、抵抗部材１８の側端面が座フレーム１１の側フレーム１１Ｂの垂直部１１ｅの側面に押し付けられるようにしても良い。なお、図１２に示す例では、抵抗部材１８を座フレーム１１の側フレーム１１Ｂに押し付けるための土手となるように当接突起４ｂが回動軸４ａの周面の全周に亙って形成される。
【００７１】
ここで、図１２に示す例でも、抵抗部材１８は、回動支持部である回動軸４ａの周面に配設される態様であると言える。
【００７２】
また、図１２に示す例のような場合には、座フレーム１１が上フランジ１１ｆを有することも下フランジ１１ｇを有することも本発明としては必須の構成ではない。
【００７３】
なお、図９乃至図１２において、符号１９は座フレーム１１の側フレーム１１Ｂの垂直部１１ｅに設けられた貫通孔１１ｄを貫通すると共に側脚フレーム４に設けられた回動軸４ａを貫通させるブッシュであり、符号２０は貫通孔１１ｄ（また、ブッシュ１９）からの回動軸４ａの抜けを防ぐための止め輪である。
【００７４】
以上のように構成された椅子の回動機構によれば、回動支持部である回動軸４ａの周面に配設される抵抗部材としてのＯリング１８によって回動部材である座フレーム１１の回動に対して摩擦抵抗が付与されるようにしており、ねじの締め付けによって摩擦抵抗を発揮させる構造を用いることなく椅子の座１０の回動に抵抗を付与することができるので、ねじの締め付けの弛みにより摩擦抵抗が低減し座が容易に回動するようになって垂直姿勢にある座が使用者が意図していないにも拘わらず不意に倒れてしまうことを防ぐことができ、座の回動を含めた椅子の使用の快適性の向上を図ることが可能になる。
【００７５】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。例えば、上述の実施形態では本発明に係る回動機構が図１及び図２に全体構成を示す椅子１に適用されるようにしているが、本発明が適用される椅子は、図１及び図２に示す椅子１に限られるものではなく、種々の態様のものが適宜選択され得る。具体的には例えば、上述の実施形態の椅子１のように水平・前後方向にスタッキング可能であることは本発明において必須の構成ではなく、また、支持体２並びに背凭れ７及び座１０などの各構成部材の具体的な形状や態様は椅子の用途やデザインなどを踏まえて種々のものが適宜選択され得る。さらに、一例として挙げると、本発明が適用される椅子としては、背凭れ７を有することは必須の構成ではなく、また、座１０がクッション１４を備えることは必須の構成ではない。
【００７６】
また、上述の実施形態では弾性部材１２の両端部（具体的には、前端部と後端部）は座フレーム１１に支持されるようにしているが、弾性部材１２の支持態様はこれに限定されるものではなく、シェル１３に取り付けられて支持されるようにしても良い。具体的には例えば、シェルが硬質な周縁部と軟質な（言い換えると、撓み変形可能な）中央部分とを有するように構成され、弾性部材１２の両端部が前記シェルの硬質な周縁部に支持されるようにしても良い。すなわち、座フレーム(１１)とシェル(１３)と弾性部材(１２)とに関する態様は、大きくは二つ挙げられ、一つは少なくとも中央部分が撓み変形可能なシェルと少なくとも周縁部が硬質な座フレームとを備えて弾性部材の両端部が前記座フレームの硬質な周縁部に取り付けられて支持される態様であり、もう一つは硬質な周縁部と撓み変形可能な中央部分とを有するシェルと座フレームとを備えて弾性部材の両端部が前記シェルの硬質な周縁部に取り付けられて支持される態様である。
【００７７】
また、上述の実施形態では椅子１が座フレーム１１と座裏カバー１５とを有するようにしているが、本発明が適用される椅子としては座フレーム１１と座裏カバー１５とを有することは必ずしも必須の構成ではない。すなわち、上述の実施形態における座フレーム１１と座裏カバー１５とが備える構成・機能に相当する構成・機能を備えて一体のものとして形成された構成部材が用いられるようにしても良い。
【００７８】
また、上述の実施形態では回動軸４ａを回動支持部とすると共に座フレーム１１を回動部材として支持体２に対して座フレーム１１が回動するようにしているが、回動部材と回動支持部との組み合わせは上述の実施形態におけるものには限られない。具体的には例えば、前後傾動可能なヘッドレストを回動部材とすると共に当該ヘッドレストの左右両端部において当該ヘッドレストを回動可能に支持する左右方向に配設された一対の回動軸を回動支持部とするようにしても良いし、水平回動可能な肘掛け（具体的には肘載せ部）を回動部材とすると共に当該肘掛けの下面側において当該肘掛けを回動可能に支持する上下方向に配設された回動軸を回動支持部とするようにしても良いし、或いは、着座者の前方において左右方向や前後方向または他の方向に回転可能なメモ台やテーブルを回動部材とすると共に当該メモ台やテーブルを回動可能に支持する回動軸を回動支持部材とするようにしても良い。
【符号の説明】
【００７９】
１    椅子
２    支持体
３    前脚フレーム
４    側脚フレーム
４ａ  回動軸
１０    座
１１    座フレーム
１１Ａ  前フレーム
１１Ｂ  側フレーム
１１Ｃ  後フレーム
１１ｄ  貫通孔
１１ｅ  垂直部
１１ｆ  上フランジ
１１ｇ  下フランジ
１８    抵抗部材
【図１】
0006608136.tif 000002
【図２】
0006608136.tif 000003
【図３】
0006608136.tif 000004
【図４】
0006608136.tif 000005
【図５】
0006608136.tif 000006
【図６】
0006608136.tif 000007
【図７】
0006608136.tif 000008
【図８】
0006608136.tif 000009
【図９】
0006608136.tif 000010
【図１０】
0006608136.tif 000011
【図１１】
0006608136.tif 000012
【図１２】
0006608136.tif 000013
【図１３】
0006608136.tif 000014
【図１４】
0006608136.tif 000015